(57)【要約】      （修正有）【課題】毛筆風に鮮明な文字を描くことができ、筆タッチがよく描き易い磁気泳動表示部材用筆の提供。【解決手段】筆軸１に弾性体毛筆状穂２を有しており、この弾性体毛筆状穂２はゴムやプラスチック等の結合剤２２に希土類磁石等の保磁力の大きい磁石粉２１が分散されており、かつ該穂元付近の周囲に環状溝４を有する。また弾性体毛筆状穂２には、環状溝４に磁性を有する針金等の金属部材３を巻き付けるなどして有していてもよい。【選択図】図２
0003112217.tif 000002
【実用新案登録請求の範囲】
【請求項１】
弾性体毛筆状穂は結合剤と磁石粉との均一混合物からなり、かつ該穂元付近の周囲に環状溝を有することを特徴とする磁気泳動表示部材用筆。
【請求項２】
前記環状溝には金属部材を有することを特徴とする請求項１に記載の磁気泳動表示部材用筆。
【考案の詳細な説明】
【技術分野】
【０００１】
本考案は、磁気泳動表示部材用筆に関するものであり、更には本考案は、毛筆で書いた文字や絵と同様に忠実に文字や絵を再現することができ、したがって磁気泳動表示部材に毛筆タッチの書き味が楽しめる磁気泳動表示部材用筆に関するものである。
【背景技術】
【０００２】
従来、表示面に文字や絵等を書くことができる磁気泳動表示部材が知られており、この際、文字や絵等を書くために用いられる磁気ペンのペン先は、通常、フェライト磁石が用いられ、この磁石を棒状に形成すると共にその先端部を尖らせた形状からなっている。またこの棒状磁石自体は、元来、硬質材料からなり、柔軟性がなく、したがって、字体は、同じ線巾で描かれる。またこの棒状磁石は、磁石面しか書けないので、ゴシック体となる場合が多い。
一方、近年、磁気泳動表示部材の表示面に毛筆タッチ又は毛筆風の文字の書ける筆記具が公開されている。具体的には、筆ペン風に形どったゴム磁石等の弾性磁石からなる筆記具を用いてハニカム式磁気画板に文字を書くと、線の太さを自由にコントロールすることができ、味のある表現ができる筆記具であることが記載されている（例えば、特許文献１参照）。また図３に示されるように、本出願人の考案である筆記具のペン先は、ゴムチップと磁石粉を練り合わせた保磁力の大きいボンド磁石片５及び弾性体毛筆状穂２からなり、該ボンド磁石片５が弾性体毛筆状穂２の先端部に埋設されている磁気泳動表示部材用筆ペンが開示されている（例えば、特許文献２参照）。
【特許文献１】特開平７−３０９０９６号公報（特許請求の範囲、図２）
【特許文献２】実用新案登録第３０８０５７８号（実用新案登録請求の範囲、図２）
【考案の開示】
【考案が解決しようとする課題】
【０００３】
しかしながら、特開平７−３０９０９６号公報に記載されている筆記具は、ペン先が従来から一般にゴム磁石として使用されてきた弾性磁石でできているため保磁力が弱く、ハニカム式磁気画板の区画部材中の磁性粉に対し、泳動性が悪い。したがって十分鮮明な文字を書くには問題であった。また従来のゴム磁石等の弾性磁石は、見かけ上は柔軟性があるものの脆いとう弱点があり、そのためにぺン先の寿命が短いという問題があった。また実用新案登録第３０８０５７８号に記載されている磁気泳動部材用筆ペンは、毛筆風の文字が鮮明に描けるとはいえ、筆タッチ乃至描き易さ等を考えると今ひとつ十分ではなかった。
【０００４】
そこで、本考案者は、毛筆風に鮮明な文字を描くことができることはもちろんのこと、筆タッチがよく描き易い筆を得ることを課題として種々検討したところ、ニトリルゴム（ＮＢＲ）に希土類磁石粉などの磁石粉を混練して毛筆穂状に形成し、その穂の筆元付近の周囲に環状溝を設けることによって、極めて鮮明な文字が描けると共に筆タッチがよく描き易い筆が得られることを見出した。
【０００５】
しがたって、本考案が解決しようとする課題は、毛筆風に鮮明な文字を描くことができ、筆タッチがよく描き易い磁気泳動表示部材用筆を提供することにある。
【課題を解決するための手段】
【０００６】
上記の本考案が解決しようとする課題は、以下の各考案によりそれぞれ達成される。
（１）弾性体毛筆状穂は結合剤と磁石粉との均一混合物からなり、かつ該穂元付近の周囲に環状溝を有することを特徴とする磁気泳動表示部材用筆。
（２）前記環状溝には金属部材を有することを特徴とする請求項２に記載の磁気泳動表示部材用筆。
【考案の効果】
【０００７】
上記（１）の本考案の磁気泳動表示部材用筆は、弾性体毛筆状穂はＮＢＲに希土類磁石粉等の磁石粉が分散されており、かつ該穂元付近の周囲に環状溝を有することにより、筆タッチがよく描き易い、いわゆる筆感が手に伝わり非常に書き安く、したがって、鮮明な毛筆風文字が描き易い磁気泳動表示部材用筆が得られるという優れた効果を奏するものである。
更に上記（２）の本考案の磁気泳動表示部材用筆は、前記第２項の考案において、前記環状溝に金属部材を有することにより、電流ループのつくる磁場の広がりが押えられ、筆書き線のエッジが鮮明かつかつ忠実に描写される、優れた磁気泳動表示部材用筆が得られる。
【考案を実施するための最良の形態】
【０００８】
以下に、本考案の実施の形態を説明するが、本考案はこれらの例によって限定されるものではない。
【０００９】
本願明細書において、弾性体毛筆状穂とは、弾性体からなるほぼ毛筆風穂の形状をしており、かつ弾性体毛筆状穂を形成するゴム又はプラスチックス等を結合剤として用い、これに磁石の粉末を混合し成形したものをいう。
【００１０】
図１は、本考案の磁気泳動表示部材用筆を示す平面図である。図２は、本考案の別の実施形態である磁気泳動表示部材用筆を示す平面図である。図１において、本考案の磁気泳動表示部材用筆は、筆軸１の端部に弾性体毛筆状穂２が設けられている。この弾性体毛筆状穂２は、穂を構成するゴム類やプラスチックス等の結合剤２２に希土類磁石粉等の磁石粉２１が分散されており、かつ該穂元付近の周囲に環状溝４を有している。本考案では、穂元付近の周囲に環状溝４を有することにより、穂先の動きを容易にコントロ−ルすることができ、その結果、筆タッチがよく描き易い、いわゆる筆感が手に伝わり非常に書き安く、したがって、いっそう鮮明な毛筆風文字が描き易い磁気泳動表示部材用筆が得られるという優れた効果を奏するものである。
【００１１】
図２に示される本考案の別の実施形態である磁気泳動表示部材用筆において、筆軸１の端部に弾性体毛筆状穂２が設けられている構造及びその材質は、図１に示されるものと同じであるが、穂元付近には、環状溝を形成してその溝部分に金属部材を設けるか又は前記の如き環状溝が形成されるように環状の金属部材を勘合することにより、環状溝に金属部材が環状に設けられる。この金属部材は、磁性を有する線状の金属（例えば、鉄製針金など）を巻きつけてもまた予め環状輪を形成しこれを勘合してもよい。このように構成することにより筆タッチがよく描き易い、いわゆる筆感が手に伝わり非常に書き安い磁気泳動表示部材用筆が得られるばかりでなく、いっそうの鮮明さかつ忠実さに優れた磁気泳動表示部材用筆が得られる。
【００１２】
更に、弾性体毛筆状穂２の長さは、普通の長さのものと長さを延長して長くしたものでもよい。これらは個人差による好みに会う穂先又は筆先の腰強度の調整を可能にしている。本考案に用いられる弾性体毛筆状穂２の材質は、適度の弾性を有するゴム類又はゴム質材料やプラスチックスが、寿命の点からみて好ましいが、特にＮＢＲは、本考案の弾性体毛筆状穂に好ましい。この弾性体毛筆状穂２は、毛筆の穂形状、即ち円錐形に形成され、この弾力性に係る硬度はショアＡ６０〜８０が好ましい。また弾性体毛筆状穂２の長さは、筆圧の好みにより適宜変えることができる。通常は市販されている筆ペンの長さでよいが、長さは短くても長くてもよい。弾性体毛筆状穂２の太さもまた特に限定されるものではなく、適宜の太さのものが用いられる。ペン先の接合部分の長さを長くし、筆軸に長短の調節可能に設けたことにより、穂先乃至筆先の腰強度を自由に調整することができ、個人の好みに合わせた筆先を得ることができる。
本考案に用いられる弾性体毛筆状穂２は、磁石粉末とゴムやプラスチックスを混合し、金型によって成形して製造したものである。このようにして製造した弾性体毛筆状穂２は、穂先を使って細い部分を表現したり、強く押し付けて太い部分を表示して毛筆風の文字や絵を描くことができる。
【００１３】
本考案において、磁石粉としては、保磁力の大きいものであれば、等方性であっても、異方性であってもよく、特にその種類により限定されるものではないが、好ましくは、希土類磁石が好ましい。具体的には、希土類磁石は、サマリウム・コバルト磁石、ネオジウム・鉄・ボロン磁石が好ましい。またゴムやプラスチック等の結合剤に混合する磁石粉の量は、１０〜３０重量％の範囲が好ましく、１０重量％より少ないと磁力が弱く、鮮明な文字や絵が描けない。更に３０重量％を越えると、弾力性に影響するので、好ましくない。
【００１４】
本考案では、使用に際しては、通常の毛筆を使用するときと同じように穂先を磁気泳動表示部材（図示していない。）の表示面に接触するように当てて書くことにより、筆先２は弾性体毛筆状穂の弾力性により筆力に応じて磁性粉が吸着され、その結果、該表示面には毛筆で書いたと同様に毛筆風文字あるいは墨絵風の絵を書くことができる。このように毛筆状穂が弾性体のみで形成されているから、柔軟性を有するばかりでなく寿命の長い穂が得られると共に希土類磁石粉等の磁石粉が混練されているので、毛筆風の文字や絵が鮮明に描けるという優れた効果を奏するものである。また磁気泳動表示部材用筆の穂元付近に環状溝を有することにより、筆タッチがよく描き易い筆が得られ、かつ書き線のエッジが鮮明に描けるという優れた効果を奏するものである。
【００１５】
本考案に用いられる磁気泳動表示部材は、具体的にはマイクロカプセル中に磁性粉と顔料を分散媒に懸濁している、いわゆるマイクロカプセル磁気泳動表示シートやハニカムからなる室に磁性粉と顔料を分散媒に懸濁している、いわゆるハニカム式磁気泳動表示板等が用いられる。更に、磁気泳動表示部材に使用される磁性粉としては、その形状が球形のものと偏平のものがあり、この形状の違いによって磁性粉の挙動が異なる。実質的に球形磁性粉を用いた磁気泳動表示部材は、磁性粉の浮沈泳動により文字や絵等を書くことができるが、偏平磁性粉を用いた磁気泳動表示部材は、水平に配向した偏平磁性粉を磁界をかけて該磁性粉を垂直に転換することによって文字や画像を書くか又はこれとは逆に垂直に配向した偏平磁性粉に磁界をかけて該磁性粉を水平に転換することによって文字や絵を書くかのいずれかの手段があるが、本考案の磁気泳動表示部材用筆ペンでは、これらのいずれでも良好に筆文字や絵を描くことができる。
【産業上の利用可能性】
【００１６】
本考案の磁気泳動表示部材用筆は、文字や絵のいずれも良好に描くことができるので、玩具用、教習用、業務用等に用いられる磁気泳動表示部材に広く使用される。
【図面の簡単な説明】
【００１７】
【図１】本考案の磁気泳動表示部材用筆を示す平面図である。
【図２】本考案の別の実施形態である磁気泳動表示部材用筆を示す平面図である。
【図３】従来の弾性体毛筆状穂に磁石片を設けたところを示す図面である。
【符号の説明】
【００１８】
１  筆軸
２  弾性体毛筆状穂
２１  磁石粉
２２  ゴム又はプラスチック
２３  筆先又は穂先
３  金属部材
４  溝
【図１】
0003112217.tif 000003
【図２】
0003112217.tif 000004
【図３】
0003112217.tif 000005